(57)【要約】【課題】この化粧は、特に薄明りの下あるいは暗所でも化粧が可能な状況をつくりだす。この状況では、一般に、化粧料容器が一定の場所に置かれていたとしても、度重なる使用中に見失うことがあった。さらに蓋を開ける場合に、上下の区別がつかなくて、化粧パフ、化粧用チップを落とす場合があった。これらの不便があるにもかかわらず、従来の化粧料容器にはなんらの配慮もなされていない。本考案はこれらの問題点を解消し、化粧料使用上の利便性を改善することを目的とする。【解決手段】本考案の化粧料容器は、蓋体、あるいは本体ないし、蓋の開閉用フックピースに、目視で識別させるための蓄光体を利用した暗所用標識を施し、該蓄光体の残光を夜間標識として利用する。蓄光体は蓄光塗料を印刷するか、または成形体へ蛍光顔料を練り込んで付設する。使用する蓄光体の組成はＳｒ４Ａｌ１４Ｏ２５：Ｅｕ２＋，Ｄｙ３＋，ＳｒＡｌ２Ｏ４：Ｅｕ２＋，Ｄｙ３＋，ＳｒＡｌ２Ｏ４：Ｅｕ２＋またはＣａＡｌ２Ｏ４：Ｅｕ２＋，Ｎｄ３＋が好適である。なお、本考案はおしりふき以外の化粧料にも適用できる。【選択図】  図１
2004298595.tif 000002
【特許請求の範囲】
【請求項１】
化粧料を収納した容器の可視外面に蓄光体を利用した暗所識別用の標識を施したことを特徴とする化粧料容器。
【請求項２】
化粧料容器の蓋体、あるいは本体ないし、蓋の開閉用フックピースに、目視で識別させるための蓄光体を利用した暗所用標識を施したことを特徴とする利便性を改善した化粧料容器。
【請求項３】
蓄光塗料による印刷または化粧料容器への蛍光顔料の練り込みによって蓄光体を利用した暗所用標識を施した請求項１または２記載の利便性を改善した化粧料容器。
【請求項４】
蓄光体の組成がＳｒ４Ａｌ１４Ｏ２５：ＥＵ２＋，Ｄｙ３＋，ＳｒＡｌ２Ｏ４：Ｅｕ２＋，Ｄｙ３＋，ＳｒＡｌ２Ｏ４：Ｅｕ２＋またはＣａＡｌ２Ｏ４：Ｅｕ２＋，Ｎｄ３＋である請求項１または２記載の化粧料容器。
【発明の詳細な説明】
【０００１】
本考案は特に化粧料の夜間等の暗所利用上の利便性改善、さらにしくは、蓄光体の残光を標識とした化粧料容器に関するものである。
【０００２】
【従来の技術および考案が解決すべき課題】
化粧料容器にはその用途、使用状況も様々である。その１つに、プラスチック容器でバッグに入れて携帯するタイプがある。特に映画などで悲しい場面で、涙を流した場合自分の顔がどの様になっているのか、薄明かりの場所や暗闇でも化粧容器を取り出す場合がある。旅行の際に簡易に化粧することができる化粧料がある。化粧は昼夜と問わず数回／日の頻繁で行われ、そのたびに使用者は化粧料容器を手元において蓋を開け、取り出し、ふき取り、化粧直しの作業を行うこととなる。
【０００３】
この化粧は、特に薄明りの下あるいは暗所でも化粧が可能な状況をつくりだす。この状況では、一般に、化粧料容器が一定の場所に置かれていたとしても、度重なる使用中に見失うことがあった。
【０００４】
さらに蓋を開ける場合に、上下の区別がつかなくて、化粧パフ、化粧用チップを落とす場合があった。
【０００５】
これらの不便があるにもかかわらず、従来の化粧料容器にはなんらの配慮もなされていない。本考案はこれらの問題点を解消し、化粧料使用上の利便性を改善することを目的とする。
【０００６】
【課題を解決するための手段】
本考案の化粧料容器は、蓋体、あるいは本体ないし、蓋の開閉用フックピースに、目視で識別させるための蓄光体を利用した暗所用標識を施し、該蓄光体の残光を夜間標識として利用する。蓄光体は蓄光塗料を印刷するか、または成形体へ蛍光顔料を練り込んで付設する。使用する蓄光体の組成はＳｒ４Ａｌ１４Ｏ２５：Ｅｕ２＋，Ｄｙ３＋，ＳｒＡｌ２Ｏ４：Ｅｕ２＋，Ｄｙ３＋，ＳｒＡｌ２Ｏ４：Ｅｕ２＋またはＣａＡｌ２Ｏ４：Ｅｕ２＋，Ｎｄ３＋が好適である。なお、本考案はおしりふき以外の化粧料にも適用できる。
【０００７】
蓄光体は結晶蛍光体のトラップに電子または正孔が捕獲されたもので、吸収された光のエネルギーが蛍光体に蓄えられ、それが熱的に放出されて再結合する際に発光する。組成的には亜鉛、カルシウムなどの硫化物、ケイ酸塩などを主成分とし、これに銅、マンガン、銀などを活性剤として加える。残光時間は数秒〜数十日に及ぶが、上記のＳｒ４Ａｌ１４Ｏ２５：Ｅｕ２＋，Ｄｙ３＋，ＳｒＡｌ２Ｏ４：Ｅｕ２＋，Ｄｙ３＋，ＳｒＡｌ２Ｏ４：Ｅｕ２＋またはＣａＡｌ２Ｏ４：Ｅｕ２＋，Ｎｄ３＋の４種はとくに残光時間が長く好ましい。
【０００８】
本考案では、これらの蓄光体を用いて作製した蓄光塗料を化粧料容器の蓋体、あるいは本体ないし、蓋の開閉用フックピースに、目視で識別させるための蓄光体を利用した暗所用標識を部分に印刷するか、あるいは蛍光顔料を練り込んだ成形体を当該部分に使用する。
【０００９】
【実施例】
以下は実施例を挙げるが、本考案はこれに制限されるものではない。第１図はこの考案の一実施例を示している。すなわち、図において、１０は上面が開口した円形箱状の容器本体であり、その内部に化粧料１１が充填された金皿（レフイル皿）１２が交換可能に収容されている。この容器本体１０は、前壁面において、その前面と容器本体１０の上面とが交わる稜線の中央部が切欠かれて上部が開放した凹部１３が形成されている。そして、上記凹部１３の底面から奥面にかけて内向きアーチ状の湾曲面に形成されている。また、上記凹部１３の奥面中央部には、被係合用の突起１４が突設され、その両側にストツパー１５が突設されている。１６は凹部１３の左右両側壁の所定部分（内向きアーチの中心線に対応する部分）に相対峙状態で突設された左右一対の軸体である。１７はこの軸体１６に回動自在の状態で取り付けられる断面形状略Ｃ字状の操作レバーであり、前面が指当て部１７ａになつている。この操作レバー１７の左右両側部には、一部が開放した軸穴１８が形成されている。１９は上記軸穴１８の外周壁の一部を構成する弾性突部である。操作レバー１７は、上記軸穴１８の開放部を軸体１６に合わせ、その状態から内向きに押圧して軸穴１８に軸体１６を嵌合させることにより、軸体１６に回動自在に取付けられている。２０は上記指当て部１７ａの両側上端から後方に向かつて水平に延びる押圧片であり、２１は操作レバー１７の底部で、操作レバー１７の回動時に凹部１３の底面のアーチに接しながら移動する。２２は金皿１２の上面に載置される汚れ防止用の透明シードであり、２３はそのシート２２の上面に収容されるパフである。２４は蝶番２５によつて容器本体１０の後端部に連結された箱状の蓋体である。この蓋体２４の端部には、容器本体１０の突起１４と係合する突起２６が垂設されている。２７は上記突起２６を囲う枠状体である。なお、この突起２６の幅は、操作レバー１７の両押圧片２０間を挿通できる長さに設定されている。そして、この突起２６と容器本体１０の突起１４を係合させたとき、枠状体２７の両側部は、操作レバー１７の押圧片２０上面に当接し、操作レバー１７の開き操作時に押圧片２０の押上げ力を受けるようになつている。この際、上記押圧片２０の下面はストツパー１５に当接して、押圧片２０が下方に回転することを防止している。２８は蓋体２４の裏面に貼着された鏡である。
【００１０】
化粧料容器の容器本体１０、または蓋体２４、または操作レバー１７に蓄光体を練りこむ。
【００１１】
または、化粧料容器の容器本体１０、または蓋体２４、または操作レバー１７に蓄光体を印刷する。
【００１２】
蓄光体は結晶蛍光体のトラップに電子または正孔が捕獲されたもので、吸収された光のエネルギーが蛍光体に蓄えられ、それが熱的に放出されて再結合する際に発光する。組成的には亜鉛、カルシウムなどの硫化物、ケイ酸塩などを主成分とし、これに銅、マンガン、銀などを活性剤として加える。残光時間は数秒〜数十日に及ぶが、上記のＳｒ４Ａｌ１４Ｏ２５：Ｅｕ２＋，Ｄｙ３＋，ＳｒＡｌ２Ｏ４：Ｅｕ２＋，Ｄｙ３＋，ＳｒＡｌ２Ｏ４：Ｅｕ２＋またはＣａＡｌ２Ｏ４：Ｅｕ２＋，Ｎｄ３＋の４種はとくに残光時間が長く好ましい。
【００１３】
本考案では、これらの蓄光体を用いて作製した蓄光塗料を化粧料容器の蓋体、あるいは本体ないし、蓋の開閉用フックピースに、目視で識別させるための蓄光体を利用した暗所用標識を部分に印刷するか、あるいは蛍光顔料を練り込んだ成形体を当該部分に使用する。
夜間および薄明りの下でも包装容器の所在、および蓋体２４の開閉状態の確認が容易であり、蓋体２４を開く方向も分り易い。蓋体２４を閉めるときも同様で、蓋体２４が所定の位置に収まり、化粧料が乾いてしまうことがない。即ち、閉蓋状態では蓄光体は蓋によって覆われて隠れ、開蓋状態では蓄光体ｂが露はれ目視できるので、蓋の開閉が夜間等の暗所でも確認できて便利である。
【００１４】
【考案の効果】
以上のように、本考案によれば、化粧料容器の所在が夜間等の暗がりでも分りやすい、蓋の開閉の方向が分りやすい、蓋の閉め忘れが防止できる、などの利点があり、化粧料使用上の利便性が大きく改善される。
【図面の簡単な説明】
第１図はこの考案の一実施例の斜視図、第２図はその操作レバーの容器本体への取り付け状態を説明する斜視図、第３図その閉塞状態の要部を示す縦断面図。
１０……容器本体、１３……凹部、１４，２６……突起、１６……軸体、１７……操作レバー、１８……軸穴、２０……押圧片、２１……底部、２５……蝶番、２４……蓋体
【図１】
2004298595.tif 000003
【図２】
2004298595.tif 000004
【図３】
2004298595.tif 000005